(57)【要約】【課題】電気機器の取り出し時に静電気の除電をして機器の破損を未然に防止することが可能な電気機器の収納袋を提供すること。【解決手段】電気機器の収納に用いられる収納袋１は、一端に開口部が形成され、この開口部を介して前記電気機器が収納可能な導電性の袋体１ａと、この袋体１ａの開口部周縁１５に沿って貼着されたテープ状でかつ導電性の支持部３、及びこの支持部３により支持され前記開口部の周方向に配列された可撓性でかつ導電性の多数本の除電毛５を有し、前記電気機器が袋体１ａ内に収納された状態から袋体１ａ外へ取り出されるときに、除電毛５の先端部が前記電気機器の表面に摺接して静電気の除電をすることが可能な除電ブラシ部２と、を備える。【選択図】図２
2013020908.tif 000002
【特許請求の範囲】
【請求項１】
電気機器の収納に用いられる収納袋であって、
一端に開口部が形成され、この開口部を介して前記電気機器が収納可能な導電性の袋体と、
この袋体の開口部周縁に沿って貼着されたテープ状でかつ導電性の支持部、及びこの支持部により支持され前記開口部の周方向に配列された可撓性でかつ導電性の多数本の除電毛を有し、前記電気機器が前記袋体内に収納された状態から前記袋体外へ取り出されるときに、前記除電毛の先端部が前記電気機器の表面に摺接して静電気の除電をすることが可能な除電ブラシ部と、
を備えることを特徴とする電気機器の収納袋。
【請求項２】
前記除電毛は、前記開口部の開口方向に沿って延伸し、その先端部が前記電気機器の取り出し方向に向いていることを特徴とする請求項１に記載の電気機器の収納袋。
【請求項３】
前記除電毛は、前記開口部の開口方向に対して傾斜し又は湾曲して、その先端部が前記開口部の中心側に向かっていることを特徴とする請求項１に記載の電気機器の収納袋。
【請求項４】
前記支持部は、前記袋体の外側表面に貼着されていることを特徴とする請求項１〜３のいずれか１項に記載の電気機器の収納袋。
【請求項５】
前記支持部には接地線が接続され、前記除電ブラシ部は接地されていることを特徴とする請求項１〜４のいずれか１項に記載の電気機器の収納袋。
【請求項６】
前記袋体の内側には前記除電ブラシ部とは別の除電ブラシ部が設けられており、
前記別の除電ブラシ部は、前記袋体の内周に沿って貼着されたテープ状でかつ導電性の支持部と、この支持部により支持され前記開口部の開口方向に沿って延伸するとともに前記開口部の周方向に配列された可撓性でかつ導電性の多数本の除電毛とを有していることを特徴とする請求項１〜５のいずれか１項に記載の電気機器の収納袋。
【発明の詳細な説明】
【技術分野】
【０００１】
この発明は、回路基板等の電気機器を収納する収納袋に関するものである。
【背景技術】
【０００２】
回路基板等の電気機器は、出荷又は搬送時等に収納袋に収納され破損等から保護されるのが一般的である。また、この種の収納袋は導電性の材質を用いて形成されており、電気機器を静電気帯電から防止する機能も兼ね備えている。
【０００３】
特許文献１では、半導体部品を回路基板等に半田付実装する半田付装置において、半導体部品と接触して除電を行う除電ブラシを装備した構成が記載されている。具体的には、回路基板上に半田付実装された半導体部品がベルトコンベアで流されながら、除電ブラシと接触することで除電を行うようにしている。これにより、半導体部品の静電気破損を防止することができるとしている。
【先行技術文献】
【特許文献】
【０００４】
【特許文献１】実開平１−７３９７０号公報
【発明の概要】
【発明が解決しようとする課題】
【０００５】
しかしながら、製造工程で除電をされた回路基板であっても、出荷時には収納袋に収納されて搬送され、使用時には収納袋から取り出される。この際、回路基板は収納袋の内表面との接触摩擦により静電気を帯びる可能性があり、この静電気帯電により回路基板が破損する可能性がある。
【０００６】
実際、従来の収納袋に収納した回路基板を収納袋から取り出した後に、回路基板表面の電位を複数個所測定してみたところ、いずれも例えば〜１０００（Ｖ）程度の高い電位が検出された。機器取り出し時におけるこのような静電気帯電については、従来認識がされておらず、したがってその対策もされていなかった。
【０００７】
以上のように、従来の電気機器の収納袋は、袋自体の静電気帯電は防止可能であるものの、電気機器を収納袋から取り出すときに、電気機器が帯電してしまうという問題点があった。特に、電気機器に絶縁体が使用されている場合には、接触摩擦により高帯電が生じやすい。
【０００８】
この発明は、上記に鑑みてなされたもので、電気機器の取り出し時に静電気の除電をして機器の破損を未然に防止することが可能な電気機器の収納袋を提供することを目的とする。
【課題を解決するための手段】
【０００９】
上述した課題を解決し、目的を達成するために、本発明は、電気機器の収納に用いられる収納袋であって、一端に開口部が形成され、この開口部を介して前記電気機器が収納可能な導電性の袋体と、この袋体の開口部周縁に沿って貼着されたテープ状でかつ導電性の支持部、及びこの支持部により支持され前記開口部の周方向に配列された可撓性でかつ導電性の多数本の除電毛を有し、前記電気機器が前記袋体内に収納された状態から前記袋体外へ取り出されるときに、前記除電毛の先端部が前記電気機器の表面に摺接して静電気の除電をすることが可能な除電ブラシ部と、を備えることを特徴とする。
【発明の効果】
【００１０】
この発明によれば、電気機器の取り出し時に静電気の除電をして機器の破損を未然に防止することが可能な電気機器の収納袋を提供することができる、という効果を奏する。
【図面の簡単な説明】
【００１１】
【図１】図１は、実施の形態１に係る電気機器の収納袋の外観を示す図である。
【図２】図２は、開口部を開いた状態での収納袋の外観を示した模式図である。
【図３】図３は、袋体に貼着する前の除電ブラシ部の構成を示した図である。
【図４】図４は、除電ブラシ部の断面構成の別の一例を示す図である。
【図５】図５は、袋体と除電ブラシ部との貼着構造を示した断面図である。
【図６】図６は、収納袋内に電気機器を収納した状態を示した模式図である。
【図７】図７は、実施の形態１の動作を説明するための図である。
【図８】図８は、実施の形態２に係る電気機器の収納袋の外観を示す図である。
【図９】図９は、実施の形態２に係る電気機器の収納袋の外観を示す別の図である。
【図１０】図１０は、収納袋から電気機器を取り出す状況を示した図である。
【図１１】図１１は、実施の形態３に係る電気機器の収納袋の外観を示す図である。
【図１２】図１２は、実施の形態３に係る電気機器の収納袋の外観を示す別の図である。
【図１３】図１３は、実施の形態４において、袋体と除電ブラシ部との貼着構造を示した断面図である。
【図１４】図１４は、実施の形態４において、袋体と除電ブラシ部との貼着構造を示した別の断面図である。
【図１５】図１５は、基板取り出し後の基板電位の測定結果を示した図である。
【発明を実施するための形態】
【００１２】
以下に、本発明に係る電気機器の収納袋の実施の形態を図面に基づいて詳細に説明する。なお、この実施の形態によりこの発明が限定されるものではない。
【００１３】
実施の形態１．
図１は、本実施の形態に係る電気機器の収納袋の外観を示す図である。図１に示すように、本実施の形態の収納袋１は、電気機器を収納可能な袋体１ａと、この袋体１ａの開口部周縁に沿って設けられた除電ブラシ部２とを備えて構成される。袋体１ａは被収納物である電気機器を内部に含まない状態では平面視で例えば矩形形状である。
【００１４】
図２は、収納袋１の開口部を開いた状態で収納袋１の外観を示した模式図である。図２に示すように、収納袋１は、一端に開口部が形成された袋状の袋体１ａを備え、前述のように、その開口部周縁１５に沿って除電ブラシ部２が設けられている。
【００１５】
袋体１ａは、柔軟性と導電性を有する。すなわち、袋体１ａは、電気機器を保護収納するための柔軟性を有するとともに、静電気帯電を防止するために導電性材料を用いて形成されている。袋体１ａとしては、例えば、合成樹脂製の袋体の表面に金属又はカーボン等の導電性薄膜を被覆したもの、導電性材料を塗布したもの、又は合成樹脂に導電性物質を練り込んだもの等が知られている。
【００１６】
除電ブラシ部２は、開口部周縁１５に沿って袋体１ａに貼着されたテープ状（あるいは帯状）でかつ導電性の支持部３と、この支持部３により支持され、略開口方向に沿って延伸するとともに、開口部の周方向に配列された多数本の除電毛５（除電毛群）とを備えて構成される。すなわち、除電毛５は、一端部が支持部３により支持されて袋体１ａの開口部周縁１５に装着されて、袋体１ａの内側から外側に向かって開口部の略開口方向に延伸するとともに、開口部の周方向に配列されブラシ状に構成されている。除電毛５の先端部は、電気機器の取り出し方向に向いている。また、除電毛５は、導電性及び可撓性を備えた導電性繊維から成る。
【００１７】
図３は、袋体１ａに貼着する前の除電ブラシ部２の構成を示した図であり、（ａ）は平面図、（ｂ）は（ａ）におけるＡ−Ａ断面図である。図３に示すように、支持部３は、例えば一定の幅で長さがＬの一対の導電性のテープ３０ａ，３０ｂを例えば接着剤等により貼り合わせて構成され、除電毛５の一端部はテープ３０ａ，３０ｂ間にて粘着挟持されている。導電性のテープ３０ａ，３０ｂは、それぞれ例えばアルミニウム製のテープから成る。支持部３の長さＬは、袋体１ａの開口部の周長で決まる。テープ３０ａ，３０ｂの厚さは、例えば０．数ｍｍ程度とすることができ、袋体１ａの開口部周縁に貼着しやすいように柔軟性を備えた厚さとすることが好ましい。
【００１８】
なお、図３（ｂ）では、除電毛５の一端部を一対の導電性のテープ３０ａ，３０ｂ間で挟持するようにして支持しているが、これに限定されず、一般にその端部を支持する構成であればよい。例えば図４では、このような支持構造の別の一例を示している。すなわち、図４は、除電ブラシ部２の断面構成の別の一例であり、図３（ｂ）に対応する図である。図４に示すように、支持部３は、例えば一定の幅で長さがＬの一枚の導電性のテープを断面略Ｕ字状に折り曲げて成り、このＵ字状の開口に除電毛５の一端部が挿入され、当該一端部の一方の表面とこれに対向する支持部３の内表面との間に導電性の両面テープ３１ａが配置され、当該一端部の他方の表面とこれに対向する支持部３の内表面との間には導電性の別の両面テープ３１ｂが配置されて、除電部５は一対の両面テープ３１ａ，３１ｂにより支持部３に貼着されて支持されている。
【００１９】
また、図３において、除電毛５は、支持部３の長手方向に略直交する方向に延伸している。除電毛５は、支持部３の長手方向に沿って、例えば等間隔（ピッチｄ）で配列されている。
【００２０】
除電毛５は、例えば、ステンレス繊維、カーボン繊維、又はサンダロン（登録商標）繊維等により形成することができる。繊維の線の太さは、例えば数μｍ〜１０数μｍ程度とすることができる。また、ピッチｄは、例えば０．数ｍｍ〜数ｍｍ程度とすることができる。なお、これらの数値は一例であってこれらに限定されるものではない。また、図３（ａ）では、除電毛５の長さ、詳細には、支持部３から引き出された部分のその長さをＣで表している。Ｃの大きさについては後述する。
【００２１】
図５は、袋体１ａと除電ブラシ部２との貼着構造を示した断面図であり、開口部周縁１５付近を拡大して示したものである。図５に示すように、袋体１ａの開口部周縁１５における外表面上には、テープ３０ａ，３０ｂと略同一形状の導電性の両面テープ３５を介して、除電ブラシ部２の支持部３が貼着されている。具体的には、両面テープ３５の一方の面が袋体１ａの外表面に貼着され、両面テープ３５の他方の面がテープ３０ｂの表面と貼着されている。また、除電毛５は、開口部７０の周方向と略直交する方向である開口方向に延伸している。支持部３を袋体１ａの外側表面に貼着する構成は電気機器の収納又は取り出しの際に支持部３が電気機器と接触することがないという点で好ましいといえる。なお、支持部３を、袋体１ａの内側表面に貼着することもできる。この場合、図５において、テープ３０ａの外表面と袋体１ａの内表面とを両面テープで貼着するようにすればよい。
【００２２】
図６は、収納袋１内に電気機器５０を収納した状態を示した模式図である。なお、図２と同一の構成要素には同一の符号を付している。ここで、電気機器５０について説明する。本実施の形態では、「電気機器」とは、例えば回路基板、電子部品、その他、静電気帯電により悪影響を受ける可能性のある全ての機器を意味する。図６では、電気機器５０として例えば回路基板が収納袋１内に収納されている。
【００２３】
次に、本実施の形態の動作について説明する。図７は、本実施の形態の動作を説明するための図である。電気機器５０は、収納袋１に収納された状態で搬送等された場合、収納袋１の内表面との接触摩擦により静電気が帯電する。さらに、電気機器５０を収納袋１から取り出すときに、収納袋１の内表面との接触摩擦により静電気が帯電する。しかし、本実施の形態では、図７に示すように、電気機器５０の取り出し時に、電気機器５０の表面に除電ブラシ部２の除電毛５の先端部が接触するので、静電気帯電は除電される。すなわち、電気機器５０を収納袋１から取り出すときに、例えば電気機器５０の一面が除電ブラシ部２の除電毛５と摺接し又は摺接するようにして取り出すことにより、電気機器５０に帯電された電荷を消去することができる。これにより、従来のように静電気放電により電気機器５０の絶縁破壊が生じることがなく、電気機器５０の製品品質を維持することができる。
【００２４】
なお、除電毛５の長さは、電気機器５０を収納袋１から取り出すときに、除電毛５の先端部が電気機器５０の表面に接触しやすい程度の長さに設定することが好ましい。このような観点から、除電毛５の長さＣ（図３参照）は、例えば５ｃｍ〜１５ｃｍ程度とすることが好ましい。例えば、Ｃ＝１０ｃｍとした場合、除電毛５の先端部が電気機器５０の表面に一様に接触し、静電気の除電に好適である。ただし、除電毛５の長さＣをこれ以外の大きさに設定してもよく、詳細には収納袋１及び被収納物の大きさに依存して好適値も変動する。
【００２５】
また、図７に示すように、電気機器５０を収納袋１から取り出すときに、電気機器５０を収納袋１の開口方向に対して傾斜した方向に沿って取り出すようにすれば、除電毛５がより確実に電気機器５０の表面に接触することとなり除電上より好ましい。  
【００２６】
さらにまた、電気機器５０を収納袋１から取り出すときに、電気機器５０の対向する両面を除電毛５に接触させるようにして取り出せば、電気機器５の両面から除電をすることができるのでより好ましい。  
【００２７】
なお、除電ブラシ部２による静電気の除電の原理はよく知られている。例えば、除電毛５が帯電体に接触すると、帯電体の電荷は除電毛５に向かって速やかに漏洩電流となって移動し減少する。また、除電毛５が帯電体と非接触の場合でも、その先端部が帯電体に十分に接近した場合、帯電体との間に不平等電界が形成され、その結果、除電毛５の近傍に気体の電離が生じ、そこに正負のイオン対が発生し、これらのイオン対のうち、帯電体と逆極性のイオンが帯電体に付着し、帯電体の電荷と中和する結果、静電気が除電される。
【００２８】
以上説明したように、本実施の形態によれば、収納袋１の開口部周縁に除電ブラシ部２を設けるようにしたので、電気機器５０を収納袋１から取り出すときに、除電毛５の先端部が電気機器５０の表面に摺接することとなり、電気機器５０に帯電した静電気を除去することができ、取り出し後に静電気放電をして電気機器５０が破損する可能性を未然に防止し、機器の品質を維持することができる。
【００２９】
また、本実施の形態では、除電ブラシ部２は収納袋１の開口部の全周にわたって設けられているので、電気機器５０を収納袋１から取り出すときに、電気機器５０の対向する両面を容易に除電毛５と接触させることができ、効果的に除電をすることができる。
【００３０】
これに対し、特許文献１では、回路基板上に半田付実装された半導体部品がベルトコンベアで流されながら、除電ブラシと接触することで除電を行うようにしているが、この構成では、除電ブラシはベルトコンベアの上方に設置されているので、除電ブラシは回路基板の上面と接触することができても、下面と接触することができず、下面側を除電することはできなかった。
【００３１】
実施の形態２．
図８は、本実施の形態に係る電気機器の収納袋の外観を示す図である。なお、図８では、図１と同一の構成要素には同一の符号を付している。図８に示すように、本実施の形態では、図１と比較して、支持部３に接地線２１が接続されている点が異なる。具体的には、例えば一端部に鰐口クリップが設けられた接地線２１をこの鰐口クリップを介して支持部３に接続するとともに、接地線２１の図示しない他端部を接地する。こうすることで、除電の際に除電毛５に流れ込んだ漏洩電流を、導電性の支持部３及び接地線２１を介して接地に逃がすことができ、除電効率が向上する。
【００３２】
また、図９は、本実施の形態に係る電気機器の収納袋の外観を示す別の図である。なお、図９では、図８と同一の構成要素には同一の符号を付している。図９に示すように、本実施の形態では、図８と同様に支持部３に接地線２２が接続されているが、その一端部は支持部３に予め固着されている。すなわち、図８では、接地線２１は収納袋１から着脱可能であるのに対し、図９では、接地線２２は収納袋１に予め固着されている。また、接地線２２の図示しない他端部は接地されている。こうすることで、除電の際に除電毛５に流れ込んだ漏洩電流を、導電性の支持部３及び接地線２２を介して接地に逃がすことができ、除電効率が向上する。また、接地線２２は予め収納袋１に固着されているので、搬送先で接地線をその都度用意し接続する手間が省ける。
【００３３】
次に、本実施の形態の収納袋１による除電効果を、実施の形態１及び従来の構成と比較して説明する。図１０は、（ａ）従来の収納袋１００から電気機器５０を取り出す状況、（ｂ）実施の形態１の収納袋１（図１）から電気機器５０を取り出す状況、及び（ｃ）本実施の形態の収納袋１（図８）から電気機器５０を取り出す状況をそれぞれ示した図である。なお、電気機器５０は例えばガラスエポキシ基板とした。
【００３４】
図１０（ａ）では、電気機器５０を導電性の収納袋１００から取り出し、電気機器５０の表面のＰ１〜Ｐ６の各点における基板電位を測定した。収納袋１００には、除電ブラシ部は設けられていない。基板電位の測定結果を図１５の「従来」に示す。すなわち、Ｐ１の電位は１４３０（Ｖ）、Ｐ２の電位は１２２０（Ｖ）、Ｐ３の電位は１６２０（Ｖ）、Ｐ４の電位は１５５０（Ｖ）、Ｐ５の電位は９８０（Ｖ）、Ｐ６の電位は８５０（Ｖ）となった。このように収納袋１００から取り出した電気機器５０の表面電位が大きいこと、すなわち、収納袋１００の内表面との接触摩擦により電気機器５０に静電気が帯電することは従来認識されていなかった。
【００３５】
図１０（ｂ）では、電気機器５０を実施の形態１の収納袋１（図１）から取り出し、電気機器５０の表面のＰ１〜Ｐ６の各点における基板電位を測定した。収納袋１には、除電ブラシ部２が設けられている。基板電位の測定結果を図１５の「除電ブラシ付」に示す。すなわち、Ｐ１の電位は７８（Ｖ）、Ｐ２の電位は５０（Ｖ）、Ｐ３の電位は６８（Ｖ）、Ｐ４の電位は５５（Ｖ）、Ｐ５の電位は９２（Ｖ）、Ｐ６の電位は９５（Ｖ）となり、「従来」と比較して、基板電位が大幅に低下しており、除電ブラシ部２による除電効果が顕著であることがわかる。
【００３６】
図１０（ｃ）では、電気機器５０を本実施の形態の収納袋１（図８）から取り出し、電気機器５０の表面のＰ１〜Ｐ６の各点における基板電位を測定した。収納袋１には、除電ブラシ部２が設けられ、かつ、接地線２１が接続されている。基板電位の測定結果を図１５の「接地除電ブラシ付」に示す。すなわち、Ｐ１の電位は２５（Ｖ）、Ｐ２の電位は１７（Ｖ）、Ｐ３の電位は１２（Ｖ）、Ｐ４の電位は７（Ｖ）、Ｐ５の電位は３２（Ｖ）、Ｐ６の電位は４５（Ｖ）となり、「従来」と比較して基板電位が大幅に低下し、かつ、「除電ブラシ付」と比較してさらに基板電位が低下していることがわかる。
【００３７】
以上説明したように、本実施の形態によれば、接地線２１又は２２を支持部３に接続し、除電ブラシ部２を接地するようにしたので、電気機器５０を収納袋１から取り出すときに、実施の形態１よりもさらに効果的に除電をすることができる。なお、本実施の形態のその他の効果は実施の形態１と同様である。
【００３８】
実施の形態３．
図１１は、本実施の形態に係る電気機器の収納袋の外観を示す図である。なお、図１１では、図１と同一の構成要素には同一の符号を付している。図１１に示すように、本実施の形態の収納袋１は、実施の形態１の構成に加えて、袋体１ａの内側に除電ブラシ部４２を備えている。すなわち、本実施の形態では、実施の形態１と同様に袋体１ａの開口部周縁に除電ブラシ部２が設けられるとともに、袋体１ａの内側にもう一つの除電ブラシ部４２が設けられている。
【００３９】
除電ブラシ部４２は、袋体１ａの内周に沿って袋体１ａに貼着されたテープ状（あるいは帯状）でかつ導電性の支持部４３と、この支持部４３により支持され、略開口方向に沿って延伸するとともに、内周方向に配列された多数本の除電毛４５（除電毛群）とを備えて構成される。除電ブラシ部４２は、支持部４３の外周面が袋体１ａの内周面に例えば両面テープ等により貼着されている。除電毛４５は、一端部が支持部４３により支持され、他端部が袋体１ａの開口部７０に向かって延伸している。除電毛４５は、導電性及び可撓性を備えた導電性繊維から成る。除電ブラシ部４２は、除電ブラシ部２と一定の距離を隔てて例えば互いに平行に設けられている。除電ブラシ部４２は、除電ブラシ部２と同様の構成を有し、その詳細は実施の形態１で図３〜図５を用いて説明した通りである。
【００４０】
除電ブラシ部４２を袋体１ａの内側に設けた場合のその作用効果は次の通りである。収納袋１内に電気機器を収納し搬送等すると、電気機器の表面と収納袋１の内表面との接触摩擦により電気機器は静電気を帯びるが、収納袋１の内側に除電ブラシ部４２が設けられていることから、その除電毛４５と電気機器とが接触することにより、静電気が電気機器に蓄積される状況を抑制することができる。さらに、電気機器を収納袋１から取り出すときに、電気機器と収納袋１の内表面との接触摩擦により電気機器に静電気が発生するが、この静電気は開口部周縁に設けられた除電ブラシ部２と袋体１ａの内側に設けられた除電ブラシ部４２の双方により除電されるので、除電効果は実施の形態１と比較してさらに向上する。なお、袋体１ａの内側に複数個の除電ブラシ部４２を設けることもできる。例えば、図１１において、袋体１ａの内側にて除電ブラシ部２と除電ブラシ部４２との間にもう一つ別の除電ブラシ部を設けることもできる。
【００４１】
図１２は、本実施の形態に係る電気機器の収納袋の外観を示す別の図である。なお、図１２では、図１１と同一の構成要素には同一の符号を付している。図１２では、図１１の構成に加えて、除電ブラシ部２に接地線２２が接続され、除電ブラシ部４２に接地線２３が接続されている。接地線２２は例えば実施の形態２の図９で説明したものと同じである。接地線２３についても同様である。接地線２３は、一端部が支持部４３に固着され、他端部を接地することができる。なお、除電ブラシ部４２は袋体１ａの内側に設けられているので、接地線２３は袋体１ａを貫通して袋体１ａの外側に引き出されている。このように、接地線２２，２３を除電ブラシ部２，４２にそれぞれ接続することにより、実施の形態２で説明したように、電気機器を収納袋１から取り出すときの除電効果をさらに向上させることができる。なお、除電ブラシ部４２に接地線２３を接続しない構成でもよい。
【００４２】
実施の形態４．
図１３は、本実施の形態における袋体１ａと除電ブラシ部２との貼着構造を示した断面図である。図１３は、実施の形態１における図５と対比すべき図である。なお、図１３において、図５と同一の構成要素には同一の符号を付している。
【００４３】
図１３に示すように、除電ブラシ部２の構造自体は図５と同様であるが、除電ブラシ部２は、その除電毛５が開口方向Ｐに対して傾斜し除電毛５の先端部が開口部７０の中心側に向かうように、袋体１ａの開口部周縁に貼着されている。具体的には、支持部３を構成するテープ３０ａ，３０ｂのうち袋体１ａ側のテープ３０ｂと袋体１ａとの間に、開口方向Ｐに対して傾斜した傾斜面を有する傾斜部３６を例えば袋体１ａの開口部周縁に設ける。ここで傾斜部３６は例えば袋体１ａと一体に形成することができる。そして、傾斜部３６の傾斜面とテープ３０ｂとの間を例えば接着剤等（図示せず）により接着することができる。なお、除電毛５が図示例のように傾斜する構造であれば、除電ブラシ部２の袋体１ａへの貼着構造は図示例に限定されない。
【００４４】
図１３のように、除電毛５を開口部７０の中心側に傾斜させることにより、収納袋１内から電気機器を取り出すときに、除電毛５の先端部が電気機器により接触しやすい構造となる。例えば電気機器として基板を収納袋１に収納し、この基板を収納袋１から取り出すときに、除電毛５の先端部は基板の両面に容易に接触して効果的に除電をすることができる。
【００４５】
図１４は、袋体１ａと除電ブラシ部２との貼着構造を示した別の断面図である。図１４に示すように、除電ブラシ部２は、開口方向Ｐに対して開口部７０の中心側に湾曲した除電毛２５を備えて構成される。すなわち、除電毛２５の一端部は支持部３のテープ３０ａ，３０ｂ間に挟着され、その他端部は開口方向Ｐに対して開口部７０の中心方向に湾曲している。なお、除電ブラシ部２のその他の構成は図５と同様であり、袋体１ａへの貼着構造も同様であるので、同一の構成要素には同一の符号を付して詳細な説明を省略する。
【００４６】
図１４のように、除電毛２５を開口部７０の中心側に湾曲させることにより、収納袋１内から電気機器を取り出すときに、除電毛２５の先端部が電気機器により接触しやすい構造となる。例えば電気機器として基板を収納袋１に収納し、この基板を収納袋１から取り出すときに、除電毛２５の先端部は基板の両面に容易に接触して効果的に除電をすることができる。
【００４７】
なお、本実施の形態のその他の構成、動作及び効果は実施の形態１と同様である。また、本実施の形態を実施の形態２、３と組み合わせることもできる。
【産業上の利用可能性】
【００４８】
本発明は、電気機器の取り出し時に静電気を除電することができる収納袋として有用である。
【符号の説明】
【００４９】
１，１００  収納袋
１ａ  袋体
２，４２  除電ブラシ部
３，４３  支持部
５，４５  除電毛
１５  開口部周縁
２１，２２，２３  接地線
３０ａ，３０ｂ  テープ
３１ａ，３１ｂ，３５  両面テープ
５０  電気機器
７０  開口部
【図１】
2013020908.tif 000003
【図２】
2013020908.tif 000004
【図３】
2013020908.tif 000005
【図４】
2013020908.tif 000006
【図５】
2013020908.tif 000007
【図６】
2013020908.tif 000008
【図７】
2013020908.tif 000009
【図８】
2013020908.tif 000010
【図９】
2013020908.tif 000011
【図１０】
2013020908.tif 000012
【図１１】
2013020908.tif 000013
【図１２】
2013020908.tif 000014
【図１３】
2013020908.tif 000015
【図１４】
2013020908.tif 000016
【図１５】
2013020908.tif 000017